(57)【要約】【課題】    トップダウン工法を採用した場合でも効率よく施工することができるカーテンウォール、およびその取付方法を提供すること。【解決手段】カーテンウォールユニット１１の下枠に着脱可能に設けた仮止めブラケット３０を支持ブラケット３に係止することで、施工階のカーテンウォールユニット１１下部の見込み方向への移動が規制されるので、下階のカーテンウォールユニット１１が取り付けられていなくても、施工階のカーテンウォールユニット１１の下端側が振れ止めされる。従って、トップダウン工法を採用した場合でも安定してカーテンウォールユニット１１を取り付けることができ、カーテンウォールを効率よく形成することができる。【選択図】  図１２
2006022509.tif 000002
【特許請求の範囲】
【請求項１】
上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールであって、
前記カーテンウォールユニットの前記上枠または前記縦枠の上部には、前記支持手段に連結されて当該カーテンウォールユニットを建物躯体に固定する固定手段が設けられ、
前記カーテンウォールユニットのうち、左右に連続して配置される少なくとも両端のカーテンウォールユニットにおける前記下枠または前記縦枠の下部には、当該カーテンウォールユニットを建物躯体に仮止めする仮止め手段が設けられ、
前記カーテンウォールユニットは、建物の上階から下階に向かって順次取り付けられ、その取り付けの際に、当該カーテンウォールユニットの上側に既に取り付けられた上側カーテンウォールユニットの下枠に前記上枠が嵌合され、前記固定手段が前記支持手段に連結されるとともに、前記仮止め手段により当該カーテンウォールユニット下部における見込み方向への移動が規制されるカーテンウォール。
【請求項２】
前記仮止め手段は、前記下枠または前記縦枠の下部に着脱可能かつ室内側に延出して取り付けられた仮止めブラケットであって、
前記カーテンウォールユニットの取り付けの際に、当該カーテンウォールユニットの下側に配置される下側カーテンウォールユニットを支持する下側の支持手段を設けておき、この下側の支持手段に前記仮止めブラケットを係止することで当該カーテンウォールユニットの移動が規制され、
前記下側カーテンウォールユニットを取り付ける前に、前記下枠または前記縦枠の下部から前記仮止めブラケットが取り外される請求項１に記載のカーテンウォール。
【請求項３】
前記支持手段は、建物躯体に固定される第１面部と、この第１面部の室外側端縁から上方に延出する第２面部とを有した支持ブラケットであって、
前記仮止めブラケットは、室内側に延出するとともに下方に折れ曲がって前記第２面部の室内側側面に係止される係止片部を有して構成される請求項２に記載のカーテンウォール。
【請求項４】
上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールであって、
前記カーテンウォールユニットの前記上枠または前記縦枠の上部には、前記支持手段に連結されて当該カーテンウォールユニットを建物躯体に固定する固定手段が設けられ、
前記固定手段は、前記上枠または前記縦枠の上部に固定された本体部と、この本体部に対して着脱可能かつ室内側に延出して設けられた延出部とを有して構成され、
前記カーテンウォールユニットは、建物の上階から下階に向かって順次取り付けられ、その取り付けの際に、前記延出部を取り外した状態で当該カーテンウォールユニットの上側に既に取り付けられた上側カーテンウォールユニットの下枠に前記上枠が嵌合され、前記固定手段の前記本体部が前記支持手段に連結されるとともに、前記本体部に取り付けた前記延出部が前記支持手段に連結されて当該カーテンウォールユニットが建物躯体に固定されるカーテンウォール。
【請求項５】
前記固定手段の本体部および延出部のいずれか一方には、水平に延びる断面略Ｃ字状の係合溝が形成され、他方には前記係合溝に係合する凸状部が形成され、
前記延出部は、前記本体部の側方から前記係合溝と前記凸状部とを係合させることで当該本体部に取り付けられる請求項４に記載のカーテンウォール。
【請求項６】
前記支持手段は、建物躯体に固定される第１面部と、この第１面部の室外側端縁から上方に延出する第２面部とを有した支持ブラケットであって、
前記固定手段の前記本体部は、前記第２面部の室外側側面に固着具を介して連結され、前記延出部は、前記第２面部の上端縁に固着具を介して連結される請求項４または請求項５に記載のカーテンウォール。
【請求項７】
前記左右に隣り合って配置されるカーテンウォールユニットの下枠の下側には、これら両方の下枠に跨って当該下枠同士を連結する連結部材が設けられ、この連結部材と前記下枠との間にはシール材が介装されている請求項１から請求項６のいずれかに記載のカーテンウォール。
【請求項８】
前記連結部材は、前記左右に隣り合うカーテンウォールユニットの取り付け前において、いずれか一方のカーテンウォールユニットの下枠に取り付けられており、
前記隣り合うカーテンウォールユニットの取り付け後に、前記連結部材は、前記下枠に沿って前記両方の下枠に跨る位置にスライド移動される請求項７に記載のカーテンウォール。
【請求項９】
上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されるカーテンウォールの取付方法であって、
前記カーテンウォールユニットの前記上枠または前記縦枠の上部には、前記支持手段に連結されて当該カーテンウォールユニットを建物躯体に固定する固定手段が設けられ、
前記カーテンウォールユニットのうち、左右に連続して配置される少なくとも両端のカーテンウォールユニットにおける前記下枠または前記縦枠の下部には、当該カーテンウォールユニットを建物躯体に仮止めする仮止め手段が設けられており、
建物の上階から下階に向かって前記カーテンウォールユニットを順次取り付ける際に、当該カーテンウォールユニットの上側に既に取り付けられた上側カーテンウォールユニットの下枠に前記上枠を嵌合し、前記固定手段を前記支持手段に連結するとともに、前記仮止め手段により当該カーテンウォールユニット下部における見込み方向への移動を規制するカーテンウォールの取付方法。
【請求項１０】
前記仮止め手段は、前記下枠または前記縦枠の下部に着脱可能かつ室内側に延出して取り付けられた仮止めブラケットであって、
前記カーテンウォールユニットの取り付けの際に、当該カーテンウォールユニットの下側に配置される下側カーテンウォールユニットを支持する下側の支持手段を設けておき、この下側の支持手段に前記仮止めブラケットを係止することで当該カーテンウォールユニットの移動を規制し、
前記下側カーテンウォールユニットを取り付ける前に、前記下枠または前記縦枠の下部から前記仮止めブラケットを取り外す請求項９に記載のカーテンウォールの取付方法。
【請求項１１】
上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールの取付方法であって、
前記カーテンウォールユニットの前記上枠または前記縦枠の上部には、前記支持手段に連結されて当該カーテンウォールユニットを建物躯体に固定する固定手段が設けられ、
前記固定手段は、前記上枠または前記縦枠の上部に固定された本体部と、この本体部に対して着脱可能かつ室内側に延出して設けられた延出部とを有して構成されており、
建物の上階から下階に向かって前記カーテンウォールユニットを順次取り付ける際に、前記延出部を取り外した状態で当該カーテンウォールユニットの上側に既に取り付けられた上側カーテンウォールユニットの下枠に前記上枠を嵌合し、前記固定手段の前記本体部を前記支持手段に連結するとともに、前記本体部に前記延出部を取り付け、当該延出部を前記支持手段に連結するカーテンウォールの取付方法。
【請求項１２】
前記左右に隣り合って配置されるカーテンウォールユニットのいずれか一方の下枠の下側には、これら両方の下枠に跨って当該下枠同士を連結する連結部材が予め取り付けられており、
前記隣り合うカーテンウォールユニットの取り付け後に、前記連結部材を前記下枠に沿って前記両方の下枠に跨る位置にスライド移動するとともに、当該連結部材と下枠との間をシールする請求項９から請求項１１のいずれかに記載のカーテンウォールの取付方法。
【発明の詳細な説明】
【技術分野】
【０００１】
本発明は、カーテンウォール、およびその取付方法に関する。詳しくは、建物躯体に支持される複数のカーテンウォールユニットを上下左右に並べて配置し、これら各ユニットの対向する端縁同士を嵌合して構成されたインターロック式のカーテンウォール、およびその取付方法に関する。
【背景技術】
【０００２】
従来より、建物の外壁面を構成するカーテンウォールとして、建物躯体に支持される複数のカーテンウォールユニットを上下左右に並べて配置し、上下左右に隣り合う各ユニットの端縁同士（上枠と下枠、および縦枠同士）を嵌合して構成されたインターロック式のカーテンウォールが知られている（例えば、特許文献１参照）。
このインターロック式のカーテンウォールでは、各カーテンウォールユニットが建物各フロアの階高に応じた高さ寸法を有して形成され、その上枠や縦枠上部がファスナやブラケット等を介して建物躯体（床スラブや梁等）に支持されている。そして、カーテンウォールユニットは、その下枠が下階のカーテンウォールユニット（下階ユニット）の上枠に嵌合されることで、風圧力等の面外方向の荷重に対して振れ止めされている。また、左右に隣り合うカーテンウォールユニット（隣接ユニット）の縦枠同士も互いに嵌合されており、これら上下左右の嵌合部分に設けた止水材等によってカーテンウォールにおける止水構造や気密構造が構成されている。
【０００３】
【特許文献１】特開平８−１９３３７４号公報（図１および図２）
【発明の開示】
【発明が解決しようとする課題】
【０００４】
ところで、従来のインターロック式のカーテンウォールは、通常、建物の下階から上階に向かってカーテンウォールユニットを順次取り付ける、つまり下階ユニットが固定された状態で上階のカーテンウォールユニット（上階ユニット）を取り付けるボトムアップ工法により取付施工される。この際、上階ユニットは、その上枠や縦枠上部に固定したファスナが建物躯体側のブラケット等に連結されることで建物躯体に支持されるとともに、上階ユニットの下枠が下階ユニットの上枠に上方から嵌合されることで、その下端側が振れ止めされるようになっている。
一方、カーテンウォールを形成する施工方法として、建物の上階から下階に向かってカーテンウォールユニットを順次取り付ける、つまり上階ユニットが固定された状態で下階ユニットを取り付けるトップダウン工法が採用される場合がある。このようなトップダウン工法は、既存建物の外壁改修工事等に好適である。すなわち、上階から下階に向かって新設のカーテンウォールを取り付けるとともに、既存の外壁や窓を撤去するようにすれば、カーテンウォールを取り付けた階における止水工事がカーテンウォール取り付けと同時に完了でき、建物内部が利用可能になる。これにより、下階において工事が続けられていても、カーテンウォールの取り付けが完了した階から順次、建物内部空間が利用可能になるとともに、改修工事の全体工期を短縮することができるようになっている。
【０００５】
しかしながら、トップダウン工法によって従来のインターロック式のカーテンウォールを形成する場合には、次の問題がある。
すなわち、施工階のカーテンウォールユニット（施工ユニット）の取り付けに際して、その上枠を上階ユニットの下枠に嵌合するとともに、ファスナを建物躯体側のブラケット等に連結するのであるが、この時点においては、施工ユニットの下枠を嵌合するべき下階ユニットがまだ取り付けられていないため、下階ユニットが取り付けられるまでの間、施工ユニットの下端側が振れ止めされずに不安定になってしまい、施工性が低下するという問題が生じる。
【０００６】
本発明の目的は、トップダウン工法を採用した場合でも効率よく施工することができるカーテンウォール、およびその取付方法を提供することにある。
【課題を解決するための手段】
【０００７】
本発明のカーテンウォールは、上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールであって、前記カーテンウォールユニットの前記上枠または前記縦枠の上部には、前記支持手段に連結されて当該カーテンウォールユニットを建物躯体に固定する固定手段が設けられ、前記カーテンウォールユニットのうち、左右に連続して配置される少なくとも両端のカーテンウォールユニットにおける前記下枠または前記縦枠の下部には、当該カーテンウォールユニットを建物躯体に仮止めする仮止め手段が設けられ、前記カーテンウォールユニットは、建物の上階から下階に向かって順次取り付けられ、その取り付けの際に、当該カーテンウォールユニットの上側に既に取り付けられた上側カーテンウォールユニットの下枠に前記上枠が嵌合され、前記固定手段が前記支持手段に連結されるとともに、前記仮止め手段により当該カーテンウォールユニット下部における見込み方向への移動が規制されることを特徴とする。
【０００８】
このような構成によれば、カーテンウォールユニットにおける下枠または縦枠の下部に設けた仮止め手段によって、施工階のカーテンウォールユニット（施工ユニット）下部の見込み方向への移動が規制されるので、下階カーテンウォールユニット（下階ユニット）が取り付けられていなくても、施工ユニットの下端側が振れ止めされる。従って、トップダウン工法を採用した場合でも安定してカーテンウォールユニットを取り付けることができ、効率よく施工することができる。この際、仮止め手段を設けるカーテンウォールユニットは、左右に連続して配置されるカーテンウォールユニットのうちの両端のユニットだけでもよく、また中間部分のユニットの全てまたは所定のピッチごとに仮止め手段を設けてもよい。すなわち、左右に連続して配置されるユニットの縦枠同士は互いに嵌合されるため、少なくとも両端のユニットにおいて振れ止めされていれば、途中部分のユニットの移動も規制することができ、下階ユニットが取り付けられるまでの間の施工ユニットの安定性を確保することができる。
そして、カーテンウォールユニットを上階から下階に向かって順次取り付けるトップダウン工法を採用したことで、既存建物の外壁改修工事の場合において、カーテンウォールユニットの取り付けが完了した階から順次建物の内部空間が利用可能になるとともに、改修工事の全体工期を短縮することができる。
【０００９】
この際、本発明のカーテンウォールでは、前記仮止め手段は、前記下枠または前記縦枠の下部に着脱可能かつ室内側に延出して取り付けられた仮止めブラケットであって、前記カーテンウォールユニットの取り付けの際に、当該カーテンウォールユニットの下側に配置される下側カーテンウォールユニットを支持する下側の支持手段を設けておき、この下側の支持手段に前記仮止めブラケットを係止することで当該カーテンウォールユニットの移動が規制され、前記下側カーテンウォールユニットを取り付ける前に、前記下枠または前記縦枠の下部から前記仮止めブラケットが取り外されることが望ましい。
このような構成では、仮止め手段を着脱可能なブラケットで構成し、このブラケットを下側（下階）の支持手段（下階ユニットの固定手段を連結する支持手段）に係止させることで、仮止めブラケットを係止するための部材等を建物躯体に別途設ける必要がなく、取付構造を簡素化することができる。また、下階ユニットの取り付け前に仮止めブラケットを取り外すことで、室内側に延出した仮止めブラケットが室内仕上げの邪魔にならず、また仮止めブラケットを他のカーテンウォールユニットに転用することができる。
【００１０】
さらに、本発明のカーテンウォールでは、前記支持手段は、建物躯体に固定される第１面部と、この第１面部の室外側端縁から上方に延出する第２面部とを有した支持ブラケットであって、前記仮止めブラケットは、室内側に延出するとともに下方に折れ曲がって前記第２面部の室内側側面に係止される係止片部を有して構成されることが望ましい。
このような構成では、一般的な断面Ｌ字形のアングルピース材からなる支持ブラケットを用いた場合に、その上方に延出した第２面部に仮止めブラケットを引っ掛けるだけで、容易にカーテンウォールユニット下部の移動を規制することができ、施工性を向上させることができる。
【００１１】
また、本発明のカーテンウォールは、上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールであって、前記カーテンウォールユニットの前記上枠または前記縦枠の上部には、前記支持手段に連結されて当該カーテンウォールユニットを建物躯体に固定する固定手段が設けられ、前記固定手段は、前記上枠または前記縦枠の上部に固定された本体部と、この本体部に対して着脱可能かつ室内側に延出して設けられた延出部とを有して構成され、前記カーテンウォールユニットは、建物の上階から下階に向かって順次取り付けられ、その取り付けの際に、前記延出部を取り外した状態で当該カーテンウォールユニットの上側に既に取り付けられた上側カーテンウォールユニットの下枠に前記上枠が嵌合され、前記固定手段の前記本体部が前記支持手段に連結されるとともに、前記本体部に取り付けた前記延出部が前記支持手段に連結されて当該カーテンウォールユニットが建物躯体に固定されるように構成されてもよい。
【００１２】
このような構成によれば、カーテンウォールユニットにおける上枠または縦枠の上部に設けた固定手段を、本体部および延出部を有した別体構造としたので、上階カーテンウォールユニット（上階ユニット）が既に取り付けられた状態で施工ユニットを取り付ける際に、固定手段の延出部を取り外しておくことができ、延出部が邪魔になることがなく、施工ユニットの取り付けが容易に実施できる。すなわち、従来のボトムアップ工法であれば、固定手段であるファスナの一部が室内側に延出していても、この延出部分が邪魔になることがないのであるが、トップダウン工法においては、上階ユニットが既に取り付けられているため、この上階ユニットの下方から施工ユニットを取り付けようとすると、固定手段の延出部分が支持手段や建物躯体に干渉してしまうという問題が生じる。これに対して、本発明の固定手段では、固定手段の延出部を別体としたので、支持手段や建物躯体に干渉することがなく、スムーズに施工ユニットを取り付けることができる。
従って、トップダウン工法を採用した場合でも効率よくカーテンウォールユニットを取り付けることができる。そして、トップダウン工法を採用したことで、前述と同様に、カーテンウォールユニットの取り付けが完了した階から順次建物の内部空間が利用可能になるとともに、改修工事の全体工期を短縮することができる。
【００１３】
この際、本発明のカーテンウォールでは、前記固定手段の本体部および延出部のいずれか一方には、水平に延びる断面略Ｃ字状の係合溝が形成され、他方には前記係合溝に係合する凸状部が形成され、前記延出部は、前記本体部の側方から前記係合溝と前記凸状部とを係合させることで当該本体部に取り付けられることが望ましい。
このような構成によれば、固定手段の本体部と延出部とが係合溝および凸状部を係合させるだけの簡単な作業により一体化されるので、施工ユニット取り付け時の作業性を低下させることなく作業が実施できる。
【００１４】
さらに、本発明のカーテンウォールでは、前記支持手段は、建物躯体に固定される第１面部と、この第１面部の室外側端縁から上方に延出する第２面部とを有した支持ブラケットであって、前記固定手段の前記本体部は、前記第２面部の室外側側面に固着具を介して連結され、前記延出部は、前記第２面部の上端縁に固着具を介して連結されることが望ましい。
このような構成によれば、一般的な断面Ｌ字形のアングルピース材からなる支持ブラケットを用い、その垂直面である第２面部に固定手段の本体部を固着具（ボルト、ナット等）を用いて連結することで、カーテンウォールユニットを見込み方向および左右方向に関して位置決めすることができる。そして、固定手段の本体部に取り付けた延出部を支持ブラケットの第２面部の上端縁に固着具を用いて連結することで、カーテンウォールユニットを上下方向に関して位置決めすることができ、カーテンウォールユニットを建物躯体に適正に取り付けることができる。
【００１５】
以上において、本発明のカーテンウォールでは、前記左右に隣り合って配置されるカーテンウォールユニットの下枠の下側には、これら両方の下枠に跨って当該下枠同士を連結する連結部材が設けられ、この連結部材と前記下枠との間にはシール材が介装されていることが望ましい。
このような構成によれば、左右に隣り合って配置されるカーテンウォールユニットの下枠に跨って連結部材を設け、この連結部材と下枠との間にシール材を介装することで、隣り合うカーテンウォールユニットの縦枠同士の間から浸入した雨水等を連結部材で受けて室外側に排出させることができる。そして、トップダウン工法を採用したことで、隣り合うカーテンウォールユニットの上枠同士に跨る位置に水切り部材等が取り付けられなくても、連結部材によって止水性を確保することができる。
【００１６】
さらに、本発明のカーテンウォールでは、前記連結部材は、前記左右に隣り合うカーテンウォールユニットの取り付け前において、いずれか一方のカーテンウォールユニットの下枠に取り付けられており、前記隣り合うカーテンウォールユニットの取り付け後に、前記連結部材は、前記下枠に沿って前記両方の下枠に跨る位置にスライド移動されることが望ましい。
このような構成によれば、カーテンウォールユニットの下枠に予め取り付けられた連結部材をスライドさせるだけで、隣り合うカーテンウォールユニットの下枠に跨る位置に容易に連結部材を設置することができ、施工性をさらに向上させることができる。
【００１７】
一方、本発明のカーテンウォールの取付方法は、上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されるカーテンウォールの取付方法であって、前記カーテンウォールユニットの前記上枠または前記縦枠の上部には、前記支持手段に連結されて当該カーテンウォールユニットを建物躯体に固定する固定手段が設けられ、前記カーテンウォールユニットのうち、左右に連続して配置される少なくとも両端のカーテンウォールユニットにおける前記下枠または前記縦枠の下部には、当該カーテンウォールユニットを建物躯体に仮止めする仮止め手段が設けられており、建物の上階から下階に向かって前記カーテンウォールユニットを順次取り付ける際に、当該カーテンウォールユニットの上側に既に取り付けられた上側カーテンウォールユニットの下枠に前記上枠を嵌合し、前記固定手段を前記支持手段に連結するとともに、前記仮止め手段により当該カーテンウォールユニット下部における見込み方向への移動を規制することを特徴とする。
【００１８】
このような構成によれば、前述と同様に、下階カーテンウォールユニット（下階ユニット）が取り付けられていなくても、施工ユニットの下端側が振れ止めされので、トップダウン工法を採用した場合でも安定してカーテンウォールユニットを取り付けることができ、効率よく施工することができる。そして、トップダウン工法を採用したことで、前述と同様に、カーテンウォールユニットの取り付けが完了した階から順次建物の内部空間が利用可能になるとともに、改修工事の全体工期を短縮することができる。
【００１９】
この際、本発明のカーテンウォールの取付方法では、前記仮止め手段は、前記下枠または前記縦枠の下部に着脱可能かつ室内側に延出して取り付けられた仮止めブラケットであって、前記カーテンウォールユニットの取り付けの際に、当該カーテンウォールユニットの下側に配置される下側カーテンウォールユニットを支持する下側の支持手段を設けておき、この下側の支持手段に前記仮止めブラケットを係止することで当該カーテンウォールユニットの移動を規制し、前記下側カーテンウォールユニットを取り付ける前に、前記下枠または前記縦枠の下部から前記仮止めブラケットを取り外すことが望ましい。
このような構成では、前述と同様に、仮止めブラケットを係止するための部材等を建物躯体に別途設ける必要がなく、取付構造を簡素化することができるとともに、室内側に延出した仮止めブラケットが室内仕上げの邪魔にならず、また仮止めブラケットを他のカーテンウォールユニットに転用することができる。
【００２０】
また、本発明のカーテンウォールの取付方法は、上枠、下枠、および左右の縦枠を四周枠組みした枠体と、この枠体に支持された面材とを有したカーテンウォールユニットを上下左右に並べて配置し、建物躯体に設けた支持手段に支持させるとともに、当該カーテンウォールユニットの対向する枠体同士を嵌合して構成されたカーテンウォールの取付方法であって、前記カーテンウォールユニットの前記上枠または前記縦枠の上部には、前記支持手段に連結されて当該カーテンウォールユニットを建物躯体に固定する固定手段が設けられ、前記固定手段は、前記上枠または前記縦枠の上部に固定された本体部と、この本体部に対して着脱可能かつ室内側に延出して設けられた延出部とを有して構成されており、建物の上階から下階に向かって前記カーテンウォールユニットを順次取り付ける際に、前記延出部を取り外した状態で当該カーテンウォールユニットの上側に既に取り付けられた上側カーテンウォールユニットの下枠に前記上枠を嵌合し、前記固定手段の前記本体部を前記支持手段に連結するとともに、前記本体部に前記延出部を取り付け、当該延出部を前記支持手段に連結するように構成されてもよい。
【００２１】
このような構成によれば、前述と同様に、延出部が邪魔になることがなく、施工ユニットの取り付けが容易に実施でき、トップダウン工法を採用した場合でも効率よくカーテンウォールユニットを取り付けることができる。そして、トップダウン工法を採用したことで、前述と同様に、カーテンウォールユニットの取り付けが完了した階から順次建物の内部空間が利用可能になるとともに、改修工事の全体工期を短縮することができる。
【００２２】
以上において、本発明のカーテンウォールの取付方法では、前記左右に隣り合って配置されるカーテンウォールユニットのいずれか一方の下枠の下側には、これら両方の下枠に跨って当該下枠同士を連結する連結部材が予め取り付けられており、前記隣り合うカーテンウォールユニットの取り付け後に、前記連結部材を前記下枠に沿って前記両方の下枠に跨る位置にスライド移動するとともに、当該連結部材と下枠との間をシールすることが望ましい。
このような構成によれば、前述と同様に、隣り合うカーテンウォールユニットの縦枠同士の間から浸入した雨水等を連結部材で受けて室外側に排出させることができるとともに、隣り合うカーテンウォールユニットの下枠に跨る位置に容易に連結部材を設置することができ、施工性をさらに向上させることができる。
【発明を実施するための最良の形態】
【００２３】
以下、本発明の一実施形態を図面に基づいて説明する。
図１は、本実施形態に係るカーテンウォール１０により外壁面が形成された建物１の一部を示す外観姿図である。図２は、カーテンウォール１０の縦断面図であり、図１に矢視II−II線で示す断面図である。図３および図４は、それぞれカーテンウォール１０の要部を拡大して示す縦断面図であり、図２に示す囲み部IIIおよび囲み部IVの断面図である。図５および図６は、それぞれカーテンウォール１０の要部を拡大して示す横断面図であり、図１に矢視Ｖ−Ｖ線およびVI−VI線で示す断面図である。図７は、カーテンウォール１０の一部を拡大して示す縦断面図であり、図２に示す囲み部VIIの断面図である。
【００２４】
図１〜図７において、カーテンウォール１０は、建物１の各フロアの床レベル（図中ＦＬで示す）間の距離（階高）に応じた高さ寸法を有する複数のカーテンウォールユニット１１によって構成されている。
カーテンウォールユニット１１は、建物外壁面の上下左右に並べて配置され、建物１の各フロアの床スラブ（建物躯体）２に固定された支持ブラケット（支持手段）３に支持されている。そして、カーテンウォールユニット１１は、上枠１２、下枠１３、および左右の縦枠１４，１５を四周枠組みした枠体と、左右の縦枠１４，１５間に水平に架設された２本の中桟（中間材）１６と、上枠１２、下枠１３、縦枠１４，１５および中桟１６に支持された面材としてのガラスパネル１７とを有して構成されている。また、一部のカーテンウォールユニット１１には、左右の縦枠１４，１５および上下の中桟１６に支持された面材としての可動障子１８（図５、図７）が設けられ、この可動障子１８は、上側の中桟１６に設けられた水平回動軸を中心に室外側へ開放可能に構成されている。
【００２５】
カーテンウォールユニット１１の上枠１２、下枠１３、縦枠１４，１５および中桟１６は、それぞれアルミ形材製である。上枠１２は、図３に示すように、シール材を介してガラスパネル１７の上端縁を保持するパネル保持部１２Ａと、上方に突出して下枠１３に嵌合する２つの突出片部１２Ｂ，１２Ｃとを有して形成されている。下枠１３は、下枠本体部１３Ａと、この下枠本体部１３Ａの室外側に取り付けられる押縁部１３Ｂとを有して構成され、これらの下枠本体部１３Ａと押縁部１３Ｂとの間にシール材を介してガラスパネル１７の下端縁が保持されている。下枠本体部１３Ａは、上面部１３Ｃと、この上面部１３Ｃの室外側および室内側の端縁から垂下された側面部１３Ｄ，１３Ｅとを有して下方に開口した断面略コ字形に形成されている。そして、側面部１３Ｄ，１３Ｅの間に上枠１２の突出片部１２Ｂ，１２Ｃが嵌合し、これらの側面部１３Ｄ，１３Ｅと突出片部１２Ｂ，１２Ｃとが気密材を介して密接されるようになっている。
【００２６】
中桟１６は、図４に示すように、中桟本体部１６Ａと、この中桟本体部１６Ａの室外側に取り付けられる２つの押縁部１６Ｂとを有して構成され、これらの中桟本体部１６Ａと押縁部１６Ｂとの間にシール材を介してガラスパネル１７の上端縁または下端縁が保持されている。また、上枠１２と上側の中桟１６との間には、ガラスパネル１７とともにスパンドレル部を構成するパネル材１９が固定されている。このパネル材１９は、カーテンウォールユニット１１の取付部分や天井裏部分が室外側から見えないようにするためのもので、金属製の不透明な板材等から形成されている。そして、パネル材１９と床スラブ２との間には、図３に示すように、上下フロア間の耐火性能や断熱性能、遮音性能を確保するために、ロックウール等の耐火材４が介装されている。また、上側の中桟１６には、図４に示すように、ブラインドボックス５および天井材６が固定されている。
【００２７】
縦枠１４，１５は、図５に示すように、その室外側にシール材を介してガラスパネル１７の側端縁が密接されている。左右に隣り合う縦枠１４および縦枠１５同士は、所定の間隔を有して互いに対向して設けられており、この間隔部分の室外側が目地Ｓとなっている。この目地Ｓの内部において、縦枠１４および縦枠１５にそれぞれ設けられた止水材（レインバリア）１４Ａ同士が当接し、雨水や埃等の浸入が防止されている。また、対向する一方の縦枠１４には、見付け方向外方に開口した略コ字形の嵌合凹部１４Ｂが形成され、他方の縦枠１５には、見付け方向外方に突出する２つの突出片部１５Ａが形成されている。そして、縦枠１４の嵌合凹部１４Ｂに縦枠１５の突出片部１５Ａが嵌合し、嵌合凹部１４Ｂの側壁と突出片部１５Ａとが気密材を介して密接するようになっている。
【００２８】
以上のようにカーテンウォールユニット１１の上枠１２は、上階のカーテンウォールユニット１１の下枠１３に嵌合し、下枠１３は、下階のカーテンウォールユニット１１の上枠１２に嵌合し、縦枠１４，１５は、隣り合うカーテンウォールユニット１１の縦枠１５，１４に嵌合している。すなわち、カーテンウォール１０は、予め組み立てられた各カーテンウォールユニット１１を床スラブ２の支持ブラケット３に支持させるとともに、上下左右に隣接するカーテンウォールユニット１１の枠体同士を嵌合させたインターロック式のカーテンウォールである。
【００２９】
カーテンウォールユニット１１の縦枠１４，１５上部には、図３および図６に示すように、支持ブラケット３に連結されてカーテンウォールユニット１１を床スラブ２に固定する固定手段としてのファスナ２０が設けられている。
ファスナ２０は、縦枠１４，１５の見付け方向内方の側面にボルトおよびナットで固定されたファスナ本体部２１と、このファスナ本体部２１の上部に着脱可能に取り付けられて室内側に延出したファスナ延出部２２とを有して構成されている。ファスナ本体部２１は、縦枠１４，１５の室内側側面よりも若干室内側に突出して支持ブラケット３に連結される被連結部２１Ａと、上枠１２近傍位置まで上方に延びてファスナ延出部２２を係合する係合部２１Ｂとを有して形成されている。この係合部２１Ｂには、水平に延びて室内側に開口した断面略Ｃ字状の係合溝２１Ｃが形成されている。また、ファスナ延出部２２は、支持ブラケット３に連結される被連結部２２Ａと、ファスナ本体部２１の係合溝２１Ｃに係合する凸状部２２Ｂとを有して形成されている。
【００３０】
一方、支持ブラケット３は、床スラブ２に固定される第１面部としての水平面部３Ａと、この水平面部３Ａの室外側端縁から上方に延出する第２面部としての垂直面部３Ｂとを有して断面略Ｌ字形に形成されたアングル部材である。この支持ブラケット３の水平面部３Ａは、床スラブ２に貫入されたアンカーボルト３Ｃにより固定されている。また、支持ブラケット３の垂直面部３Ｂには、上下に長く形成された長孔３Ｄが形成されている。
そして、ファスナ本体部２１の被連結部２１Ａは、固着具としてのボルト２３Ａおよびナット２３Ｂを介して支持ブラケット３の垂直面部３Ｂに連結され、ファスナ延出部２２の被連結部２２Ａは、固着具としてのボルト２４Ａおよびナット２４Ｂを介して支持ブラケット３の垂直面部３Ｂの上端縁に支持（連結）されるようになっている。また、ファスナ２０および支持ブラケット３の室内側は、カーテンウォールユニット１１の下枠１３および床仕上げ材２Ａに固定されたカバー材７に覆われて室内空間に露出しないようになっている。
【００３１】
次に、カーテンウォールユニット１１の取り付け手順について、図８〜１５に基づいて詳説する。
図８〜図１５は、カーテンウォールユニット１１の取り付け手順を示す斜視図である。
本実施形態において、カーテンウォールユニット１１は、建物１の上階から下階に向かって順次取り付けられる。そして、カーテンウォールユニット１１の取り付けに際して、図８に示すように、カーテンウォールユニット１１を取り付けるフロアの床スラブ２に支持ブラケット３を固定する。この支持ブラケット３は、当該施工フロアの１つ下の階に取り付けられるカーテンウォールユニット（下側カーテンウォールユニット）１１のファスナ２０が連結されて、この下側カーテンウォールユニットを支持する、つまり下側の支持手段である。なお、この際、施工フロアの１つ上の階においては、カーテンウォールユニット（上側カーテンウォールユニット）１１が既に取り付けられており、上の階の床スラブ２には、支持ブラケット（上側の支持手段）３が固定されている。
【００３２】
次に、図９に示すように、施工フロアのカーテンウォールユニット１１（１１Ａ）を取り付ける。このカーテンウォールユニット１１Ａのファスナ２０は、図示しない上の階の支持ブラケット３に連結されている。そして、カーテンウォールユニット１１Ａの下枠１３には、当該カーテンウォールユニット１１Ａを床スラブ２に仮止めする仮止め手段としての仮止めブラケット３０が設けられている。この仮止めブラケット３０は、仮止め用のボルトによって着脱可能に下枠１３の両端に１つずつ取り付けられている。そして、仮止めブラケット３０は、下枠１３の室内側の側面部１３Ｅから室内側に延出するとともに下方に折れ曲がって支持ブラケット３の垂直面部３Ｂに係止される係止片部３０Ａを有して形成されている。この仮止めブラケット３０の係止片部３０Ａが支持ブラケット３の垂直面部３Ｂに係止されることで、施工フロアのカーテンウォールユニット１１Ａ下部における見込み方向への移動が規制されるようになっている。そして、施工フロアのカーテンウォールユニット１１Ａの取り付けが完了したら、１つ下のフロアのカーテンウォールユニット１１（１１Ｂ）を取り付ける。
【００３３】
次に、図１０に示すように、１つ下のフロアのカーテンウォールユニット１１Ｂを取り付ける際には、前述と同様に、１つ下のフロアの床スラブ２に支持ブラケット３を固定しておくとともに、取り付けようとするカーテンウォールユニット１１Ｂ側の仮止めブラケット３０を取り外す。そして、カーテンウォールユニット１１Ｂにおけるファスナ２０のファスナ本体部２１からファスナ延出部２２を取り外した状態で、カーテンウォールユニット１１Ｂを前記カーテンウォールユニット１１Ａの下方から持ち上げるようにして、カーテンウォールユニット１１Ａの下枠１３に、取り付けるカーテンウォールユニット１１Ｂの上枠１２を嵌合させる。
そして、図１１に示すように、ボルト２３Ａを支持ブラケット３の長孔３Ｄおよびファスナ本体部２１の被連結部２１Ａに挿入してナット２３Ｂに螺合し、支持ブラケット３にファスナ本体部２１を連結する。この際、支持ブラケット３の長孔３Ｄに沿ってカーテンウォールユニット１１Ｂの上下位置が適宜調整可能になっている。
【００３４】
次に、図１２に示すように、取り外しておいたファスナ延出部２２をファスナ本体部２１に取り付ける。この際、図中に矢印で示すように、ファスナ延出部２２の凸状部２２Ｂをファスナ本体部２１の係合溝２１Ｃに水平方向側方から係合させる。
そして、図１３に示すように、ファスナ延出部２２の被連結部２２Ａおよびナット２４Ｂに挿通したボルト２４Ａを下方に突出させて、ボルト２４Ａの先端を支持ブラケット３の垂直面部３Ｂの上端縁に当接させる。この際、ファスナ本体部２１のナット２３Ｂに螺合したボルト２３Ａは、完全に締め付けられておらず、ファスナ延出部２２のボルト２４Ａを締めながらカーテンウォールユニット１１Ｂの上下位置を調節する。そして、カーテンウォールユニット１１Ｂの位置が調節できた段階で、ボルト２３Ａを締め付けるとともに、ファスナ延出部２２の上側のナットを締め付けてカーテンウォールユニット１１Ｂの取り付けが完了する。また、カーテンウォールユニット１１Ｂが固定されたことで、その上枠１２が嵌合する前記カーテンウォールユニット１１Ａ下部の見込み方向への移動が規制される。
【００３５】
次に、図１４に示すように、隣接するカーテンウォールユニット１１Ｂを上記と同様の手順で取り付け、これら隣り合うカーテンウォールユニット１１Ｂの縦枠１４，１５を嵌合させるとともに、下枠１３同士の間をシールする。この際、取り付けようとするカーテンウォールユニット１１Ｂ側の仮止めブラケット３０を取り外してから、カーテンウォールユニット１１Ｂのファスナ２０を支持ブラケット３に連結する。
そして、図１５に示すように、床スラブ２の上に床仕上げ材２Ａを取り付けるとともに、この床仕上げ材２Ａとカーテンウォールユニット１１Ａとの間にカバー材７を取り付けて、カーテンウォールユニット１１Ｂのファスナ２０や支持ブラケット３をカバー材７で覆って、当該施工フロアにおけるカーテンウォールユニット１１の取付作業が完了する。
【００３６】
以上のように取り付けられるカーテンウォールユニット１１のファスナ２０と支持ブラケット３との関係について、図１６および図１７に基づいて説明する。
図１６および図１７は、それぞれカーテンウォールユニット１１の取付部分を拡大して示す縦断面図である。
図１６および図１７において、上側のカーテンウォールユニット１１（１１Ａ）は、既に取り付けられており、その下枠１３の下端縁と支持ブラケット３の垂直面部３Ｂの上端縁との間の間隔距離Ｈ１は、設計上規定された寸法になっている。そして、ファスナ２０のファスナ本体部２１からファスナ延出部２２を取り外した状態の下側のカーテンウォールユニット１１（１１Ｂ）を取り付けるのであるが、その上枠１２の上端縁と取り付け完了時（図１７）のファスナ延出部２２の下端縁との間隔距離Ｈ２は、間隔距離Ｈ１よりも大きく設定されている。
すなわち、間隔距離Ｈ１＜間隔距離Ｈ２となっている。
【００３７】
このような条件において、ファスナ延出部２２がファスナ本体部２１に一体に形成されたファスナでは、ファスナ延出部が支持ブラケット３にぶつかってしまうため、カーテンウォールユニット１１を取り付けることができない。これに対して、ファスナ延出部２２をファスナ本体部２１から取り外せるように構成した本実施形態のカーテンウォールユニット１１では、カーテンウォールユニット１１Ｂの上枠１２をカーテンウォールユニット１１Ａの下枠１３に嵌合した後に、ファスナ延出部２２を取り付けることで、支持ブラケット３にぶつかるようなことがなく、カーテンウォールユニット１１をスムーズに取り付けることができるようになっている。
【００３８】
次に、本実施形態のカーテンウォール１０における止水、排水構造について、図１８〜１５に基づいて詳説する。
図１８および図１９は、それぞれカーテンウォール１０の止水構造を示す縦断面図および横断面図である。図２０は、カーテンウォール１０の一部を省略した斜視図である。図２１は、カーテンウォールユニット１１の下枠１３に設けられる連結部材を示す斜視図である。図２２〜図２５は、それぞれカーテンウォールユニット１１を下方から見上げた斜視図であり、連結部材の取り付け手順を示す図である。
図１８〜図２１において、上下左右に隣接するカーテンウォールユニット１１の交点部分である縦枠１４，１５の下方位置には、隣り合う下枠１３に跨ってこれらの下枠１３同士を連結する連結部材としてのスプライサ４０が下枠１３の下側に取り付けられている。
【００３９】
スプライサ４０は、図１８および図２１に示すように、下方に開口した全体略コ字形に形成され、下枠１３に嵌って係止されるようになっている。このスプライサ４０は、室外側に下がる傾斜を有した上面部４１と、この上面部４１の室外側縁から下枠１３の側面部１３Ｄに沿って下方に折り曲げられた前面部４２と、上面部４１の室内側縁から下枠１３の側面部１３Ｅに沿って下方に折り曲げられた背面部４３とを有して形成されている。そして、カーテンウォール１０の目地Ｓの下方である前面部４２下端の略中央位置には、室外側に突出した水切り片部４４が形成されている。また、上面部４１の上側および前面部４２の室外側には、下枠１３の上面部１３Ｃおよび側面部１３Ｄにそれぞれ密接する止水材（シール材）４５が取り付けられている。この止水材４５は、ゴムや樹脂等から下枠１３の下側内面に沿った形状に形成されており、スプライサ４０と下枠１３との間に隙間が生じないように塞ぐようになっている。そして、止水材４５は、図１９に示すように、縦枠１４，１５の見付け方向内側縁の下方、あるいはそれよりも内側に位置されている。
【００４０】
以上のようなスプライサ４０は、図２２〜図２５に示すように、左右に隣り合うカーテンウォールユニット１１のいずれか一方（図２２の右側）のカーテンウォールユニット１１の下枠１３に取り付けられており、これらの隣り合うカーテンウォールユニット１１の取り付け後に、下枠１３に沿ってスライド移動して両方の下枠１３に跨る位置に設置されるようになっている。そして、隣り合うカーテンウォールユニット１１の両方の下枠１３に跨る位置に移動後に、スプライサ４０と下枠１３との間に湿式のシール材が充填される。その後、下側のカーテンウォールユニット１１を取り付けることで、スプライサ４０は、カーテンウォールユニット１１の交点部分に固定されるようになっている。
【００４１】
以上のカーテンウォール１０において、目地Ｓから縦枠１４，１５の止水材１４Ａを越えて縦枠１４，１５間に浸入した雨水や、上枠１２と下枠１３との間から上枠１２上部の空間に浸入した雨水は、縦枠１４，１５間を落下してスプライサ４０の上面部４１で受け止められる。そして、この雨水は、スプライサ４０の上面部４１の傾斜に沿って室外側に流れ、前面部４２沿って流れ落ちて室外側に排出される。また、このように流れ落ちた雨水は、スプライサ４０の水切り片部４４によって受け止められるので、下階の目地Ｓから再び縦枠１４，１５の間に浸入しないようになっている。
また、スプライサ４０と下枠１３の下側内面とが止水材４５や湿式シールによって密接されているため、上階のカーテンウォールユニット１１における縦枠１４，１５間の空間と、その下方の上枠１２上部の空間とが遮断されている。そして、縦枠１４，１５間の空間は、その上方の上枠１２上部の空間と連通され、これらの空間が等圧になっている。
【００４２】
このような本実施形態によれば、以下のような効果がある。
(１) カーテンウォールユニット１１の下枠１３に設けた仮止めブラケット３０によって、施工階のカーテンウォールユニット１１下部の見込み方向への移動が規制されるので、下階のカーテンウォールユニットが取り付けられていなくても、施工階のカーテンウォールユニット１１の下端側が振れ止めされる。従って、トップダウン工法を採用した場合でも安定してカーテンウォールユニット１１を取り付けることができ、効率よく施工することができる。
【００４３】
(２) そして、カーテンウォールユニット１１を上階から下階に向かって順次取り付けるトップダウン工法を採用した場合でも施工効率が低下しないので、既存建物の外壁改修工事の場合において、カーテンウォールユニット１１の取り付けが完了した階から順次建物１の内部空間が利用可能になるとともに、改修工事の全体工期を短縮することができる。
【００４４】
(３) また、仮止めブラケット３０を下側の支持ブラケット３に係止させるようにしたので、仮止めブラケット３０を係止するための部材等を別途設ける必要がなく、取付構造を簡素化することができる。
【００４５】
(４) さらに、仮止めブラケット３０が着脱可能に構成され、下階のカーテンウォールユニット１１の取り付け前に取り外されるので、仮止めブラケット３０が室内仕上げの邪魔にならず、また仮止めブラケット３０を他のカーテンウォールユニット１１に転用することができる。
【００４６】
(５) また、支持ブラケット３の垂直面部３Ｂに仮止めブラケット３０の係止片部３０Ａを引っ掛けるだけで、容易にカーテンウォールユニット１１下部の移動を規制することができ、施工性を向上させることができる。
【００４７】
(６) また、カーテンウォールユニット１１の縦枠１４，１５の上部に設けたファスナ２０が、ファスナ本体部２１およびファスナ延出部２２からなる別体構造とされているので、上階のカーテンウォールユニット１１が既に取り付けられた状態で施工フロアのカーテンウォールユニット１１を取り付ける際に、ファスナ２０のファスナ延出部２２を取り外しておくことができ、ファスナ延出部２２が邪魔になることがなく、カーテンウォールユニット１１の取り付けが容易に実施できる。
【００４８】
(７) さらに、ファスナ２０が、ファスナ本体部２１の係合溝２１Ｃにファスナ延出部２２の凸状部２２Ｂを係合させるだけの簡単な作業により一体化されるので、カーテンウォールユニット１１取り付け時の作業性を低下させることなく作業が実施できる。
【００４９】
(８) また、支持ブラケット３の垂直面部３Ｂにファスナ本体部２１の被連結部２１Ａをボルト２３Ａおよびナット２３Ｂを用いて連結し、垂直面部３Ｂの上端縁にファスナ延出部２２の被連結部２２Ａをボルト２４Ａおよびナット２４Ｂを用いて連結することで、カーテンウォールユニット１１を適切に位置決めすることができ、カーテンウォールユニット１１の取り付け精度を確保することができる。
【００５０】
(９) また、左右に隣り合って配置されるカーテンウォールユニット１１の下枠１３に跨ってスプライサ４０を設け、このスプライサ４０と下枠１３との間に止水材４５や湿式シールを介装することで、隣り合うカーテンウォールユニット１１の縦枠１４，１５の間を落下した雨水等をスプライサ４０で受けて室外側に排出させることができる。そして、トップダウン工法を採用したことで、隣り合うカーテンウォールユニット１１の上枠１２同士に跨る位置に水切り部材等が取り付けられなくても、下枠１３に取り付けたスプライサ４０によって止水性を確保することができる。
【００５１】
(10) さらに、カーテンウォールユニット１１の下枠１３に予め取り付けられたスプライサ４０をスライドさせるだけで、隣り合う下枠１３に跨る位置にスプライサ４０を容易に設置することができ、施工性をさらに向上させることができる。
【００５２】
なお、本発明は、前記実施形態に限定されるものではない。
例えば、前記実施形態では、カーテンウォールユニット１１の高さ寸法を建物１の階高に合わせて各フロアごとにカーテンウォールユニット１１を取り付ける構造としたが、これに限らず、複数フロアに跨る高さ寸法を有したカーテンウォールユニットを用いてもよい。さらに、大きな吹き抜け空間などにおいて、高さ方向の途中位置に支持梁やテンショントラス形式の支持構造等を設けておけば、１フロア分のカーテンウォールを高さ方向に複数に分割したカーテンウォールユニットで構成することも可能である。
【００５３】
また、前記実施形態では、ファスナ２０のファスナ本体部２１とファスナ延出部２２とが別体とされていたが、これに限らず、図２６および図２７に示すような構成としてもよい。すなわち、ファスナ２０は、ファスナ本体部２１とファスナ延出部２２とが一体に形成されたものである。そして、支持ブラケット３は、その垂直面部３Ｂが分割されて上部垂直面部３Ｅを有して構成され、この上部垂直面部３Ｅが着脱可能になっている。
このような構成において、支持ブラケット３から上部垂直面部３Ｅを取り外した状態の垂直面部３Ｂ上端縁と、上側のカーテンウォールユニット１１Ａの下枠１３の下端縁との間の間隔距離Ｈ１ａは、下側のカーテンウォールユニット１１Ｂの上枠１２の上端縁とファスナ延出部２２の下端縁との間隔距離Ｈ２よりも大きく設定されている。
すなわち、間隔距離Ｈ１ａ＞間隔距離Ｈ２となっている。
このため、上部垂直面部３Ｅを取り外しておけば、カーテンウォールユニット１１Ｂの上枠１２をカーテンウォールユニット１１Ａの下枠１３に嵌合する際に、ファスナ２０が支持ブラケット３にぶつかることない。
なお、支持ブラケット３に取り付けた状態の上部垂直面部３Ｅの上端縁と、上側のカーテンウォールユニット１１Ａの下枠１３の下端縁との間の間隔距離Ｈ１ｂは、間隔距離Ｈ２よりも小さくてもよい。
すなわち、間隔距離Ｈ１ｂ＜間隔距離Ｈ２となっていてもよい。
以上の構成によれば、ファスナ２０のファスナ本体部２１とファスナ延出部２２とを別体としなくても、カーテンウォールユニット１１をスムーズに取り付けることができる。
【００５４】
さらに、ファスナ２０のファスナ本体部２１とファスナ延出部２２とが一体で、かつ支持ブラケット３も一体とされた、図２８および図２９に示すような構成を採用することも可能である。この場合には、支持ブラケット３の垂直面部３Ｂ上端縁と、上側のカーテンウォールユニット１１Ａの下枠１３の下端縁との間の間隔距離Ｈ１は、下側のカーテンウォールユニット１１Ｂの上枠１２の上端縁とファスナ延出部２２の下端縁との間隔距離Ｈ２よりも大きく設定されている。
すなわち、間隔距離Ｈ１＞間隔距離Ｈ２となっている。
このため、カーテンウォールユニット１１Ｂの上枠１２をカーテンウォールユニット１１Ａの下枠１３に嵌合する際に、ファスナ２０が支持ブラケット３にぶつかることなく、カーテンウォールユニット１１をスムーズに取り付けることができる。このような構成では、前記実施形態や前述の図２６および図２７の構成と比較して、ボルト２４Ａの長さ寸法や締め付け量が若干大きくなってしまうものの、ファスナ２０や支持ブラケット３を別体にする必要がないため、部材の加工コスト等を低減することができる。
【００５５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５６】
本発明は、建物の外壁面を形成するカーテンウォールに好適であり、特に既存建物の外壁改修工事の際にトップダウン工法により新設のカーテンウォールを形成する場合に適している。
【図面の簡単な説明】
【００５７】
【図１】本発明の一実施形態に係るカーテンウォールにより外壁面が形成された建物の一部を示す外観姿図である。
【図２】前記カーテンウォールの縦断面図であり、図１に矢視II−II線で示す断面図である。
【図３】前記カーテンウォールの要部を拡大して示す縦断面図であり、図２に示す囲み部IIIの断面図である。
【図４】前記カーテンウォールの要部を拡大して示す縦断面図であり、図２に示す囲み部IVの断面図である。
【図５】前記カーテンウォールの要部を拡大して示す横断面図であり、図１に矢視Ｖ−Ｖ線で示す断面図である。
【図６】前記カーテンウォールの要部を拡大して示す横断面図であり、図１に矢視VI−VI線で示す断面図である。
【図７】前記カーテンウォールの一部を拡大して示す縦断面図であり、図２に示す囲み部VIIの断面図である。
【図８】前記カーテンウォールを構成するカーテンウォールユニットの取り付け手順を示す斜視図である。
【図９】図８に続く前記カーテンウォールユニットの取り付け手順を示す斜視図である。
【図１０】図９に続く前記カーテンウォールユニットの取り付け手順を示す斜視図である。
【図１１】図１０に続く前記カーテンウォールユニットの取り付け手順を示す斜視図である。
【図１２】図１１に続く前記カーテンウォールユニットの取り付け手順を示す斜視図である。
【図１３】図１２に続く前記カーテンウォールユニットの取り付け手順を示す斜視図である。
【図１４】図１３に続く前記カーテンウォールユニットの取り付け手順を示す斜視図である。
【図１５】図１４に続く前記カーテンウォールユニットの取り付け手順を示す斜視図である。
【図１６】前記カーテンウォールユニットの取付部分を拡大して示す縦断面図である。
【図１７】前記カーテンウォールユニットの取付部分を拡大して示す縦断面図である。
【図１８】前記カーテンウォールの止水構造を示す縦断面図である。
【図１９】前記カーテンウォールの止水構造を示す横断面図である。
【図２０】前記カーテンウォールの一部を省略した斜視図である。
【図２１】前記カーテンウォールユニットの下枠に設けられる連結部材を示す斜視図である。
【図２２】前記カーテンウォールユニットを下方から見上げた斜視図であり、前記連結部材の取り付け手順を示す図である。
【図２３】前記カーテンウォールユニットを下方から見上げた斜視図であり、前記連結部材の取り付け手順を示す図である。
【図２４】前記カーテンウォールユニットを下方から見上げた斜視図であり、前記連結部材の取り付け手順を示す図である。
【図２５】前記カーテンウォールユニットを下方から見上げた斜視図であり、前記連結部材の取り付け手順を示す図である。
【図２６】前記実施形態の変形例に係るカーテンウォールユニットの取付部分を拡大して示す縦断面図である。
【図２７】前記実施形態の変形例に係るカーテンウォールユニットの取付部分を拡大して示す縦断面図である。
【図２８】前記実施形態の変形例に係るカーテンウォールユニットの取付部分を拡大して示す縦断面図である。
【図２９】前記実施形態の変形例に係るカーテンウォールユニットの取付部分を拡大して示す縦断面図である。
【符号の説明】
【００５８】
２…建物躯体である床スラブ、３…支持手段である支持ブラケット、３Ａ…第１面部である水平面部、３Ｂ…第２面部である垂直面部、１０…カーテンウォール、１１，１１Ａ，１１Ｂ…カーテンウォールユニット、１２…上枠、１３…下枠、１４，１５…縦枠、１７…面材であるガラスパネル、１８…面材である可動障子、２０…固定手段であるファスナ、２１…ファスナ本体部、２１Ｃ…係合溝、２２…ファスナ延出部、２２Ｂ…凸状部、２３Ａ，２４Ａ…固着具であるボルト、２３Ｂ，２４Ｂ…固着具であるナット、３０…仮止めブラケット、３０Ａ…係止片部、４０…連結部材であるスプライサ、４５…シール材である止水材。
【図１】
2006022509.tif 000003
【図２】
2006022509.tif 000004
【図３】
2006022509.tif 000005
【図４】
2006022509.tif 000006
【図５】
2006022509.tif 000007
【図６】
2006022509.tif 000008
【図７】
2006022509.tif 000009
【図８】
2006022509.tif 000010
【図９】
2006022509.tif 000011
【図１０】
2006022509.tif 000012
【図１１】
2006022509.tif 000013
【図１２】
2006022509.tif 000014
【図１３】
2006022509.tif 000015
【図１４】
2006022509.tif 000016
【図１５】
2006022509.tif 000017
【図１６】
2006022509.tif 000018
【図１７】
2006022509.tif 000019
【図１８】
2006022509.tif 000020
【図１９】
2006022509.tif 000021
【図２０】
2006022509.tif 000022
【図２１】
2006022509.tif 000023
【図２２】
2006022509.tif 000024
【図２３】
2006022509.tif 000025
【図２４】
2006022509.tif 000026
【図２５】
2006022509.tif 000027
【図２６】
2006022509.tif 000028
【図２７】
2006022509.tif 000029
【図２８】
2006022509.tif 000030
【図２９】
2006022509.tif 000031